(57)【要約】      （修正有）【課題】装置に対する連続的な電力供給を維持し、かつプラグ接続およびプラグ接続解除が都合よくかつ容易になされ得るプラグコネクタアッセンブリを提供する。【解決手段】オスプラグ２０は、複数の電気ピンを有しており、メスプラグ２５は、複数の差込口を有しており、差込口は、ピンの連結を受け入れるように電気端子に接続されており、オスプラグ２０およびメスプラグ２５の間における電気接続手段を規定する。オスプラグ２０およびメスプラグ２５の外壁に作られている解除可能な復元性のバイアス固定手段をさらに備えている。固定手段は、オスプラグ２０およびメスプラグ２５がプラグ接続され得るか、またはプラグ接続解除され得るように、解除位置および固定位置の間を移動可能である。固定手段は、指によるグリップを向上させる表面構造を有して作られているレバーアーム４０を含んでいる。【選択図】図３
0003186041.tif 000002
【実用新案登録請求の範囲】
【請求項１】
オスプラグ（２０）およびメスプラグ（２５）を備えており、
上記オスプラグ（２０）は、間隔を空けて配置されている複数の電気ピン（３０）の少なくとも１対を収納している本体を有しており、上記ピン（３０）の一端は電気端子に接続されており、上記ピン（３０）の自由端は上記本体から突出しており、
上記メスプラグ（２５）は、間隔を空けて配置されている複数の差込口（３５）の少なくとも１対を収納している本体を有しており、複数の上記差込口（３５）のそれぞれは、上記オスプラグ（２０）の複数の上記ピン（３０）の連結を受け入れるように電気端子に接続されており、当該連結は、上記オスプラグ（２０）およびメスプラグ（２５）の間における電気接続手段を規定する、プラグコネクタアッセンブリ（１５）であって、
上記オスプラグ（２０）およびメスプラグ（２５）の外壁に作られている解除可能な復元性のバイアス固定手段をさらに備えており、上記固定手段は、上記オスプラグ（２０）およびメスプラグ（２５）がプラグ接続され得るか、またはプラグ接続解除され得るように、解除位置および固定位置の間を移動可能であることを特徴とするプラグコネクタアッセンブリ（１５）。
【請求項２】
上記固定手段は、バイアス付加手段、少なくとも１つの動作可能なレバーアーム（４０）、および少なくとも１つの突起（７０）を備えており、
上記レバーアーム（４０）は、上記オスプラグ（２０）の上記外壁にある回転領域（５０）に、回転するように配置されている１つのカンティレバーアーム（４５）と、一体にかつ反対方向に作られており、
上記バイアス付加手段は、固定位置および解除位置の間において上記カンティレバーアーム（４５）を動作させるために、上記レバーアーム（４０）および上記オスプラグ（２０）の上記外壁に取り付けられ、
上記突起（７０）は、上記メスプラグ（２５）の上記外壁と一体に作られており、通路（７１）を備えるために適合されており、
上記カンティレバーアーム（４５）は、上記メスプラグ（２５）の上記通路（７１）に接続するために形成されているフック（６０）を備えるために適合されている、請求項１に記載のアッセンブリ（１５）。
【請求項３】
上記バイアス付加手段は、軸（５３）に支持されている対向する複数のアームを有しているばね（６５）であり、上記軸（５３）は、上記オスプラグの側壁のそれぞれの面に対して長さ方向に配置されている対向する複数の出っ張り（５１）の対、および上記回転領域（５０）における上記レバーアーム（４０）に対して作られている出っ張り（５１’’）のさらなる対に取り付けるために適合されており、上記レバーアームにある出っ張り（５１’’）の上記対は、上記オスプラグ（２０）の側壁にある上記出っ張り（５１）の上記対の間にはめ込むために構成されており；
上記ばね（６５）の一方のアームは上記レバーアームの内側に接して、かつ対向する他方のアームは上記オスプラグの上記壁の外側と接して、バイアス付加機能を実現している、請求項２に記載のアッセンブリ。
【請求項４】
上記レバーアーム（４０）は、必要に応じて、指によるグリップを向上させる表面構造（５５）を有して作られている、請求項３に記載のアッセンブリ。
【請求項５】
上記メスプラグは、少なくとも１つの電気コンセントソケット（３４）を有している壁取り付け型であり、上記通路（７１）を含んでいる上記突起（７０）は、支持板（７５）、カバーページ（cover page）（７６）またはコンセントソケット（３４）と一体に作られている、請求項１〜４のいずれか１項に記載のアッセンブリ。
【請求項６】
上記オスプラグ（２０）は複数のピン（３０）を有しているＶＧＡケーブルであり、上記メスプラグ（２５）は複数の差込口（３５）を有しているＶＧＡポートである、請求項１〜４のいずれか１項に記載のアッセンブリ。
【請求項７】
オスプラグ（２０）およびメスプラグ（２５）を備えており、
上記オスプラグ（２０）は、間隔を空けて配置されている複数の電気ピン（３０）の少なくとも１対を収納している本体を有しており、上記電気ピン（３０）の一端は電気端子に接続されており、上記ピン（３０）の自由端は上記本体から突出しており、
上記メスプラグ（２５）は、間隔を空けて配置されている複数の差込口（３５）の少なくとも１対を収納している本体を有しており、複数の上記差込口（３５）のそれぞれは、上記オスプラグ（２０）の上記ピン（３０）の連結を受け入れるように電気端子に接続されており、当該連結は、上記オスプラグ（２０）およびメスプラグ（２５）の間における電気接続手段を規定する、プラグコネクタアッセンブリ（１５）であって、
上記オスプラグ（２０）およびメスプラグ（２５）の壁と一体に作られている解除可能な復元性のバイアス固定手段（１６）をさらに備えており、上記固定手段（１６）は、上記オスプラグ（２０）およびメスプラグ（２５）がプラグ接続され得るか、またはプラグ接続解除され得るように、固定位置および非固定位置の間においてバイアスをかけられていることを特徴とするプラグコネクタアッセンブリ（１５）。
【請求項８】
上記固定手段（１６）は、少なくとも１つのカンティレバーアーム（４５）および少なくとも１つの突起（７０）を備えており、
上記カンティレバーアーム（４５）は、回転領域（５０）において上記オスプラグ（２０）の本体と一体に配置されており、上記電気ピン（３０）と同じ方向に上記オスプラグ（２０）の本体から突出しており、
上記突起（７０）は、上記メスプラグ（２５）の内壁と一体に作られており、かつ肩（７２）を備えるために適合されており、
上記カンティレバーアーム（４５）は、上記メスプラグ（２５）の上記肩（７２）に接続するために形成されたフック（６０）を備えるために適合されている、請求項７に記載のアッセンブリ（１５）。
【請求項９】
上記カンティレバーアーム（４５）は、必要に応じて、指によるグリップを向上させる表面構造（５５）を有して作られている、請求項８に記載のアッセンブリ（１５）。
【考案の詳細な説明】
【考案の詳細な説明】
【０００１】
〔背景技術〕
本発明は、それに対する優先権が主張される、２０１０年９月１７日付の国際特許番号ＰＣＴ／ＴＨ２０１０／００００３４の継続開発である。
【０００２】
本発明は、差込型の電気接続用のプラグコネクタアッセンブリ、より詳細にはケーブルプラグ、壁面に取り付けられているコンセント、ＶＧＡケーブルに関し、ここで、電気プラグは、オスプラグ（電気ピンを有している）およびメスプラグ（オスプラグの電気ピンを受け入れるための差込口を有している）の間における接続を向上させるための固定構造をさらに備えている。
【０００３】
従来のプラグ（特に最古身型の電気プラグ）において、オスプラグおよびメスプラグは、メスプラグの複数の差込口にオスプラグの複数の電気ピンを挿入することによって、単に互いに接続されている。装置に対する連続的な電力供給は、オスプラグの複数の電気ピンおよびメスプラグの差込口の間における適切なはめ合いにまったく依存する。しかし、そのような構成に関連するいくつかの欠点がある。例えば、ある場合に、電気ピンおよび差込口は、極めて緊密に設計されており、特定のグループのユーザにとってのプラグ接続およびプラグ接続解除を困難にしている。ある場合に、電気ピンおよび差込口（すなわち電気差込口）は緩くはめ込まれており、プラグは気付かずにプラグ接続解除されて、装置に対する電力供給の中断を引き起こし得る。この継続しない電力供給は、装置に対する損傷を引き起こし得るか、またはその用途を減少させ得る。オスプラグおよびメスプラグが異なる製造者によって製造されているときに、緊密なはめ合いまたは緩いはめ合いの問題は最も頻度高く発生する。
【０００４】
したがって、本発明の目的は、プラグコネクタアッセンブリを提供することであり、当該プラグコネクタアッセンブリにおいて、オスプラグおよびメスプラグは、オスプラグおよびメスプラグの間における安定した接続を確保するための単純かつ有効な対応する固定手段を有して作られており、したがって、装置に対する連続的な電力供給を維持し、かつプラグ接続およびプラグ接続解除が都合よくかつ容易になされ得る。
【０００５】
〔発明の概要〕
この目的は、給電機能から切り離されている固定構造をさらに備えているプラグコネクタアッセンブリによって達成される。複数のオスプラグおよびメスプラグに対する固定構造は、オスプラグおよびメスプラグの間における容易かつ有効な安定した接続をもたらして、複数のオスプラグおよびメスプラグの不慮の接続解除による、電気装置に対する継続しない電力供給を最小限にする。
【０００６】
一実施形態において、固定手段は、回転するように回転領域に配置されており、オスプラグの外壁に作られている少なくとも１つの動作可能なレバーアームおよび１つのカンティレバーアームを備えている。上記レバーアームは、固定位置および解除位置の間においてカンティレバーアームを動作させるために、カンティレバーアームの反対側に回転領域から突出している。フックを備えており、かつメスプラグに向かうカンティレバーアームの自由端は、メスプラグに作られている突起とはめ合わせるために設けられている。
【０００７】
他の実施形態において、固定手段は、上記オスプラグの壁と一体にされている少なくとも１つのアームを備えており、当該アームは、解除可能であり、復元するようにバイアスを加えられている。上記アームは、固定位置および解除位置の間において、移動可能であり、かつバイアスを加えられている。メスプラグに向かい、内側のフックが設けられているアームの自由端は、メスプラグの内壁に作られている突起に接続するために配置されている。
【０００８】
固定手段は、複数のオスプラグおよびメスプラグの、プラグ接続および／またはプラグ接続解除の過程の間における指の滑りを防ぐために、グリップを向上させる複数の表面構造またはパターンをその外表面に備えていることが好ましい。
【０００９】
〔図面の簡単な説明〕
本発明の利点および特徴は、本発明の原理のいくつかの好ましい実施形態が非限定的な例として、添付の図面を参照して説明されている以下の記載から正しく理解される。
【００１０】
図１は、オスプラグおよびメスプラグに固定構造を有している、本発明に係るプラグコネクタアッセンブリの実施形態の正面図を示している。
【００１１】
図２は、オスプラグおよびメスプラグが互いに固定されている、図１のプラグコネクタアッセンブリの正面図を示している。
【００１２】
図３は、オスプラグにおける固定構造が解除位置にある図２のプラグコネクタアッセンブリの実施形態の正面図を示している。
【００１３】
図４は、図２のプラグコネクタアッセンブリの、正面からの模式的な断面図を示している。
【００１４】
図５は、分解されているオスコネクターの概略図を示している。
【００１５】
図６は、突起に関する拡大図をともなっているメスプラグの斜視図を示している。
【００１６】
図７は、分解されている模式的なオスプラグが示されている、本発明に係るプラグコネクタアッセンブリのさらなる実施形態の斜視図を示している。
【００１７】
図８は、図７の完全なプラグコネクタアッセンブリの斜視図を示している。
【００１８】
図９は、図８のプラグコネクタアッセンブリの正面からの模式的な断面図を示している。
【００１９】
図１０は、本発明に係るプラグコネクタアッセンブリの、壁取付けプラグとしてのさらなる実施形態を示している。
【００２０】
図１１は、本発明に係るプラグコネクタアッセンブリの、ＶＧＡポートプラグとしてのさらなる実施形態を示している。
【００２１】
図１２は、本発明に係るプラグコネクタアッセンブリの、ケーブルプラグとしてのさらなる実施形態を示している。
【００２２】
〔発明の詳細な説明〕
本発明はプラグコネクタアッセンブリを提供する。当該プラグコネクタアッセンブリにおいて、オスプラグおよびメスプラグは、オスプラグおよびメスプラグの間における安定した接続を保証するための単純かつ有効な対応する固定手段を有して作られており、したがって、装置に対する連続的な電力供給を維持し、プラグ接続およびプラグ接続解除が都合よくかつ容易になされ得る。
【００２３】
本明細書に記載されている「オスプラグ」という用語は、複数の電気ピンを有している電気コンセントを指し、単一または複数のコンセントを包含している。本明細書に記載されている「メスプラグ」は、上記オスプラグの複数の上記電気ピンを受け入れるための電気差込口を有している電気コンセントを指し、ここで、上記メスプラグの上記電気差込口に対する上記オスプラグの上記電気ピンの接触は、電気接続手段を規定する。
【００２４】
図１は、本発明に係るプラグコネクタアッセンブリ１５の一実施形態を示している。この実施形態において、アッセンブリ１５は、オスプラグ２０およびメスプラグ２５を一般的に備えている。プラグコネクタアッセンブリ１５は、固定位置および解除位置の間において移動可能な、解除可能な復元性のバイアス固定手段１６をさらに備えており、当該固定位置および解除位置において、オスプラグ２０およびメスプラグ２５は、プラグ接続（結合）されるか、またはプラグ接続解除され得る。
【００２５】
当該技術において一般に知られているようなオスプラグ２０は、間隔を空けて配置されている複数の電気ピン３０の少なくとも１対を収納している本体を有している。当該技術において一般に知られているようなメスプラグ２５は、間隔を空けて配置されている複数の電気差込口３５を収納している本体を有しており、電気差込口３５は、オスプラグ２０のピン３０を受け入れ可能である。さらに、当該技術において一般に知られているように、オスプラグ２０は、２ピン、３ピン（アースピンを有している）または多ピンのプラグである。ピンの一端は、電気端子に接続されており、ピンの自由端は、オスプラグ２０の本体から突出している。また、メスプラグ２５は、オスプラグ２０の複数のピン３０の連結を受け入れる対応する電気差込口３５を有して作られている。当該連結は、オスプラグ２０の複数のピン３０がメスプラグ２５の差込口３５に接続されると、オスプラグ２０およびメスプラグ２５の間に電気接続手段を規定する。
【００２６】
オスプラグ２０（複数の電気ピンを含んでいる）およびメスプラグ２５は、当業者によって公知の好適な任意の製造方法によって製造され得る。しかし、オスプラグ２０およびメスプラグ２５の本体は、当該技術において一般に知られているような好適な材料を用いた射出成型によって、製造されることが好ましい。射出成型加工は、オスプラグ２０およびメスプラグ２５に対して作られる固定手段１６の容易な形成を可能にする。
【００２７】
図１〜５において理解され得るように、オスプラグ２０は固定手段１６をさらに備えており、固定手段１６は、少なくとも１つの動作可能なレバーアーム４０および１つのカンティレバーアーム４５を含んでいる。これらのアームは、回転するように、オスプラグ２０の外側壁に対して回転領域５０に配置されている。レバーアーム４０は、固定位置および解除位置の間においてカンティレバーアーム４５を動作させるために、カンティレバーアーム４５の反対側に作られている。レバーアーム４０の外面またはその一部は、必要に応じて、固定位置および解除位置の間におけるレバーアーム４０の動作を容易にするためのグリップを向上させる表面構造またはパターン５５を有して、作られている。フック６０を備えており、かつメスプラグ２５に向かうカンティレバーアーム４５の自由端は、メスプラグ２５に対して作られている突起７０に接続するために配置されている。カンティレバーアーム４５はレバーアーム４５の動作に応じて移動して、フック６０が、メスプラグ２５上の突起７０とかみ合うか、または突起７０から外れることを可能にし、したがって、図２および３に示されているように、固定手段１６の固定または解除を所望の通りに可能にする。カンティレバーアーム４５のバイアス付加機能は、バイアス付加手段（例えばばね６５など）によってもたらされる。図４および５においてより詳細に示されているように、ばね６５は回転領域５０に設けられている。オスプラグ２０の壁、より詳細には回転領域５０において、対向する出っ張り５１の対は、上記側壁の各側に対して１つずつ長さ方向に配置されている。出っ張り５１は、軸５３の一端を受け入れ可能な中心穴５２を有して作られている。また、回転領域５０と対応する位置におけるレバーアーム４０は、オスプラグ２０の壁上の出っ張り５１に向かって伸びている出っ張り５１’’の対応する対を、レバーアーム４０の側面のそれぞれに１つずつ有している。レバーアーム４０における出っ張り５１’’の対は、オスプラグ２０の側壁の出っ張り５１の対の間にはめ込むために形成されている。また、出っ張り５１’’のそれぞれは、中心穴５２’’を有して作られている。ばね６５（対向するアームを有しているコイルばね）は、軸５３に支持されている。ここで、軸５３は、ばね６５のらせん状のコイルを通って挿入されており、軸５３の端のそれぞれは、レバーアーム４０にある対応する穴５１’’およびオスプラグ２０にある出っ張り５１の穴５２を通って挿入されている。ばね６５の一方のアームは、レバーアーム４０の内側と接し、かつ対向する他方のアームは、オスプラグ２５の壁の外側と接して、バイアス付加機能を実現している。
【００２８】
図６に示されているように、メスプラグ２５は、メスプラグ２５の本体の外壁に少なくとも１つの突起７０をさらに備えている。突起７０は、カンティレバーアーム４５のフック６０とはめ合わせるために構成されるように、対応する側壁に対して作られている。この実施形態において、突起７０は、カンティレバーアーム４５のフック６０の形状に対応する形状を有している通路７１を備えており、フック６０を通路７１に収納する。したがって、フック６０および突起７０の形状および配置は、フック６０および突起７０が互いにはめ合い、オスプラグ２０およびメスプラグ２５の間において確実かつ安定した連結をもたらすために適合されている限り、特に重要ではない。
【００２９】
プラグ接続またはプラグ接続解除の間に、メスプラグ２５とはめ合わせるか、またはメスプラグ２５から外すために、ユーザは、都合よくかつ容易にレバーアーム４０にバイアスを加えて、カンティレバーアーム４５を開または閉に操作する。
【００３０】
アッセンブリのさらなる実施形態において、図７〜９に示されるように、オスプラグ２０およびメスプラグ２５は、異なる固定構造を用いた固定手段１６を有して作られている。この実施形態において、固定手段１６は、上述した実施形態のようにプラグの外壁に取り付けられているのではなく、図７に示されているようにオスプラグ２０およびメスプラグ２５の本体と一体にされている。図７においてより詳細に示されているように、オスプラグ２０は、オスプラグ２０の壁に作られている少なくとも１つの動作可能なカンティレバーアーム４５を含んでいる固定手段１６をさらに備えている。カンティレバーアーム４５は、オスプラグ２０の本体から電気ピン３０と同じ方向に突出しており、回転するように、本体の側壁に対して回転領域５０に配置されている。カンティレバーアーム４５は、射出成型処理の間にオスプラグ２０の壁と一体に形成され得るか、または別々に製造され、続いてオスプラグ２０の壁に取り付けられ得る。バイアス付加機能は、単純、有効かつ経済的な設計をもたらすカンティレバーアーム４５自体の弾性によってもたらされ、当該弾性は、固定位置および解除位置においてバイアスを加えることを、カンティレバーアーム４５に可能にさせる。カンティレバーアーム４５は、必要に応じて、指によるグリップを向上させる表面構造５５を有して作られており、表面構造５５は、メスプラグ２５の固定要素とはめ合わせるためにカンティレバーアーム４５を操作することを容易にする。カンティレバーアーム４５の自由端はフック６０を有して作られている。同様に、メスプラグ２５は、少なくとも１つの通路７１を有してさらに作られており、少なくとも１つの通路７１は、プラグ接続過程および接続解除過程の間において、オスプラグ２０のフック６０を通すために適合されている。メスプラグ２５の通路７１は肩７２を備えている。肩７２は、メスプラグ２５の内壁に作られており、カンティレバーアーム４５のフック６０とはめ合わせるために適合されている。メスプラグ２５にオスプラグ２０をプラグ接続する間に、オスプラグ２０の複数の電気ピン３０は、メスプラグ２５の電気差込口３５にガイドされ、カンティレバーアーム４５は、メスプラグ２５の通路７１にフック６０を通す方向に向けて、（人による指の操作によって）内側に曲げられる（回転させられる）。カンティレバーアーム４５自体の弾性のために、カンティレバーアーム４５は指が離れるにしたがって外側に曲がる。その結果として、図９に示されているように、フック６０は、メスプラグ２５の通路７０の肩７２に捕えられ、オスプラグ２０およびメスプラグ２５の間において安定かつ確実な接続をもたらす。同様に、プラグ接続解除の間に、オスプラグ２０が接続を解除するために引き抜かれるとき、カンティレバーアーム４５は、フック６０のはめ合いを通路７１の肩７２から解除するために内側に曲げられる。安全上の理由から、電気的要素であるオスプラグ２０およびメスプラグ２５の、電気ピン３０および電気差込口３５は、プラグ接続またはプラグ接続解除の間における電気ショックの可能性を回避するために、固定手段１６と別に区画化されている。
【００３１】
本発明のさらなる実施形態において、メスプラグ２５は、壁取付け型であり、複数の電気コンセントソケット３４用である。オスプラグ２０の構成は、第１の実施形態に記載されている構成と同じであり、オスプラグ２０は、少なくとも１つの動作可能なレバーアーム４０および１つのカンティレバーアーム４５を含んでいる固定手段１６を備えている。上記複数のアームは、回転するように、オスプラグ２０の外壁に対して回転領域５０に配置されている。レバーアーム４０は、固定位置および解除位置の間においてカンティレバーアーム４５を動作させるために、カンティレバーアーム４５の反対側に作られている。したがってさらなる詳細を繰り返さない。この実施形態において、メスプラグ２５は、電気コンセントソケット３４のそれぞれに対して作られている少なくとも１つの突起７０を備えている。突起７０は、オスプラグ２０のフック６０とはめ合わせるために構成されている通路７１を含んでいる。図１０は、２つの電気コンセントソケット３４をメスプラグ２５が有している実施形態を示している。それぞれのコンセントソケット３４は２つの対向する突起７０を有しており、突起７０は、突起７０の通路７１に対してオスプラグ２０のフック６０がはめ合せ可能なように、オスプラグ２０の固定手段１６の方向に作られている。この実施形態において、突起７０は、オスプラグのフックのはめ合いを受け入れることを見込んで、メスプラグ２５の支持板７５から上方に突出させるために作られている。また、突起７０は、オスプラグ２０のフック６０とはめ合せ可能な、異なる突起７０を構成すること、またはメスプラグ２５の構成部品の異なる部分に対して突起７０を構成し得る。例えば、突起７０は、代替的に、メスプラグ２５の上部カバー７６または電気コンセントソケット３４に対して作られ得る。
【００３２】
オスプラグ２０およびメスプラグ２５の固定手段１６のさらなる実施形態、より詳細にはさらなる構成において、本発明の原理を利用している。この実施形態において、本発明の原理は、図１１に示されるように、ＶＧＡポート／ケーブルを用いた用途に適合されている。この実施形態において、複数のピン３０を有しているオスプラグ２０（すなわちＶＧＡケーブル）は、第１の実施形態に記載されているような固定手段を有して作られている。オスプラグ２０は、少なくとも１つの動作可能なレバーアーム４０および１つのカンティレバーアーム４５を含んでいる固定手段１６を備えている。複数の上記アームは、回転するように、オスプラグ２０の外壁に対して回転領域において配置されている。レバーアーム４０は、固定位置および解除位置の間においてカンティレバーアーム４５を動作させるために、カンティレバーアーム４５の反対側に作られている。したがってさらなる詳細を繰り返さない。メスプラグ２５（すなわちＶＧＡポート）は、図６および図１０の実施形態を用いて示されており、かつ説明されているように、オスプラグ２０のフック６０のはめ合いを受け入れるための突起７０および通路７１を有して作られている。本発明の原理にしたがう、ＶＧＡポートおよびＶＧＡケーブルをともなった固定手段の利用は、ＶＧＡポートおよびＶＧＡケーブルの間における接続を安定させるねじ形態の従来の接続手段と比べて、ＶＧＡ危機の接続をはるかに容易かつ有効にする。
【００３３】
上述の通り、本発明の種々の実施形態において、オスプラグ２０の固定手段は、固定手段を備えており、当該固定手段は、少なくとも１つの動作可能なレバーアーム４０および１つのカンティレバーアーム４５を含んでいる。上記複数のアームは、回転するように、オスプラグ２０の外壁に対して回転領域５０に配置されている。レバーアーム４０は、固定位置および解除位置の間においてカンティレバーアーム４５を動作させるために、カンティレバーアーム４５の反対側に作られている。しかし、メスプラグの特定の構成に対するそのような配置も可能である。図１２に示されているように、メスプラグ２５は、突出している電気差込口３５を有している。メスプラグ２５の本体は、固定手段１６を有して作られており、固定手段１６は、少なくとも１つの動作可能なレバーアーム４０、および１つのカンティレバーアーム４５を備えている。上記複数のアームは、回転するように、メスプラグ２５の外壁に対して回転領域５０に配置されている。レバーアーム４０は、固定位置および解除位置の間においてカンティレバーアーム４５を動作させるために、カンティレバーアーム４５の反対側に作られている。次に、オスプラグ２０は、突起７０の対および引き込められている複数のピン３０を有して作られており、突起７０のそれぞれは、メスプラグ２５におけるカンティレバーアーム４５のフック６０のはめ合いを受け入れるための通路７１を有している。
【００３４】
理解される通り、本発明はプラグコネクタアッセンブリを提供する。当該プラグコネクタアッセンブリにおいて、オスプラグおよびメスプラグは、プラグ接続およびプラグ接続解除が都合よくかつ容易になされ得るように、容易かつ有効な対応する固定手段を有して作られている。さらに、固定手段は、オスプラグおよびメスプラグの間の安定した接続をもたらす。安定した接続は、不慮のプラグ接続解除を回避すること、および装置に対する連続的な電力供給を維持することに役立つ。
【図面の簡単な説明】
【００３５】
【図１】オスプラグおよびメスプラグに固定構造を有している、本発明に係るプラグコネクタアッセンブリの実施形態の正面図を示している。
【図２】オスプラグおよびメスプラグが互いに固定されている、図１のプラグコネクタアッセンブリの正面図を示している。
【図３】オスプラグにおける固定構造が、解除位置にある図２のプラグコネクタアッセンブリの実施形態の正面図を示している。
【図４】図２のプラグコネクタアッセンブリの、正面からの模式的な断面図を示している。
【図５】分解されているオスコネクターの模式図を示している。
【図６】突起に関する拡大図をともなっているメスプラグの斜視図を示している。
【図７】分解されている模式的なオスプラグが示されている、本発明に係るプラグコネクタアッセンブリのさらなる実施形態の斜視図を示している。
【図８】図７の完全なプラグコネクタアッセンブリの斜視図を示している。
【図９】図８のプラグコネクタアッセンブリの正面からの模式的な断面図を示している。
【図１０】本発明に係るプラグコネクタアッセンブリの、壁取付けプラグとしてのさらなる実施形態を示している。
【図１１】本発明に係るプラグコネクタアッセンブリの、ＶＧＡポートプラグとしてのさらなる実施形態を示している。
【図１２】本発明に係るプラグコネクタアッセンブリの、ケーブルプラグとしてのさらなる実施形態を示している。
【図１】
0003186041.tif 000003
【図２】
0003186041.tif 000004
【図３】
0003186041.tif 000005
【図４】
0003186041.tif 000006
【図５】
0003186041.tif 000007
【図６】
0003186041.tif 000008
【図７】
0003186041.tif 000009
【図８】
0003186041.tif 000010
【図９】
0003186041.tif 000011
【図１０】
0003186041.tif 000012
【図１１】
0003186041.tif 000013
【図１２】
0003186041.tif 000014
【手続補正書】
【提出日】平成25年5月16日(2013.5.16)
【手続補正１】
【補正対象書類名】実用新案登録請求の範囲
【補正対象項目名】全文
【補正方法】変更
【補正の内容】
【実用新案登録請求の範囲】
【請求項１】
オスプラグ（２０）およびメスプラグ（２５）を備えており、
上記オスプラグ（２０）は、間隔を空けて配置されている複数の電気ピン（３０）の少なくとも１対を収納している本体を有しており、上記ピン（３０）の一端は電気端子に接続されており、上記ピン（３０）の自由端は上記本体から突出しており、
上記メスプラグ（２５）は、間隔を空けて配置されている複数の差込口（３５）の少なくとも１対を収納している本体を有しており、複数の上記差込口（３５）のそれぞれは、上記オスプラグ（２０）の複数の上記ピン（３０）の連結を受け入れるように電気端子に接続されており、当該連結は、上記オスプラグ（２０）およびメスプラグ（２５）の間における電気接続手段を規定する、プラグコネクタアッセンブリ（１５）であって、
上記オスプラグ（２０）およびメスプラグ（２５）の外壁に作られている解除可能な復元性のバイアス固定手段をさらに備えており、上記固定手段は、上記オスプラグ（２０）およびメスプラグ（２５）がプラグ接続され得るか、またはプラグ接続解除され得るように、解除位置および固定位置の間を移動可能であり、上記固定手段は、指によるグリップを向上させる表面構造（５５）を有して作られているレバーアーム（４０）を含んでいることを特徴とするプラグコネクタアッセンブリ（１５）。
【請求項２】
上記固定手段は、バイアス付加手段、少なくとも１つの動作可能なレバーアーム（４０）、および少なくとも１つの突起（７０）を備えており、
上記レバーアーム（４０）は、上記オスプラグ（２０）の上記外壁にある回転領域（５０）に、回転するように配置されている１つのカンティレバーアーム（４５）と、一体にかつ反対方向に作られており、
上記バイアス付加手段は、固定位置および解除位置の間において上記カンティレバーアーム（４５）を動作させるために、上記レバーアーム（４０）および上記オスプラグ（２０）の上記外壁に取り付けられ、
上記突起（７０）は、上記メスプラグ（２５）の上記外壁と一体に作られており、通路（７１）を備えており、
上記カンティレバーアーム（４５）は、上記メスプラグ（２５）の上記通路（７１）に接続するために形成されているフック（６０）を備えている、請求項１に記載のアッセンブリ（１５）。
【請求項３】
上記バイアス付加手段は、軸（５３）に支持されている対向する複数のアームを有しているばね（６５）であり、上記軸（５３）は、上記オスプラグの側壁のそれぞれの面に対して長さ方向に配置されている対向する複数の出っ張り（５１）の対、および上記回転領域（５０）における上記レバーアーム（４０）に対して作られている出っ張り（５１’’）のさらなる対に取り付けるために適合されており、上記レバーアームにある出っ張り（５１’’）の上記対は、上記オスプラグ（２０）の側壁にある上記出っ張り（５１）の上記対の間にはめ込むために構成されており；
上記ばね（６５）の一方のアームは上記レバーアームの内側に接して、かつ対向する他方のアームは上記オスプラグの上記壁の外側と接して、バイアス付加機能を実現している、請求項２に記載のアッセンブリ。
【請求項４】
上記メスプラグは、少なくとも１つの電気コンセントソケット（３４）を有している壁取り付け型であり、上記通路（７１）を含んでいる上記突起（７０）は、支持板（７５）、カバーページ（cover page）（７６）またはコンセントソケット（３４）と一体に作られている、請求項１〜３のいずれか１項に記載のアッセンブリ。
【請求項５】
上記オスプラグ（２０）は複数のピン（３０）を有しているＶＧＡケーブルであり、上記メスプラグ（２５）は複数の差込口（３５）を有しているＶＧＡポートである、請求項１〜３のいずれか１項に記載のアッセンブリ。
【請求項６】
オスプラグ（２０）およびメスプラグ（２５）を備えており、
上記オスプラグ（２０）は、間隔を空けて配置されている複数の電気ピン（３０）の少なくとも１対を収納している本体を有しており、上記電気ピン（３０）の一端は電気端子に接続されており、上記ピン（３０）の自由端は上記本体から突出しており、
上記メスプラグ（２５）は、間隔を空けて配置されている複数の差込口（３５）の少なくとも１対を収納している本体を有しており、複数の上記差込口（３５）のそれぞれは、上記オスプラグ（２０）の上記ピン（３０）の連結を受け入れるように電気端子に接続されており、当該連結は、上記オスプラグ（２０）およびメスプラグ（２５）の間における電気接続手段を規定する、プラグコネクタアッセンブリ（１５）であって、
上記オスプラグ（２０）およびメスプラグ（２５）の壁と一体に作られている解除可能な復元性のバイアス固定手段（１６）をさらに備えており、上記固定手段（１６）は、上記オスプラグ（２０）およびメスプラグ（２５）がプラグ接続され得るか、またはプラグ接続解除され得るように、固定位置および非固定位置の間においてバイアスをかけられており、上記固定手段は、指によるグリップを向上させる表面構造（５５）を有して作られているカンティレバーアーム（４５）を含んでいることを特徴とするプラグコネクタアッセンブリ（１５）。
【請求項７】
上記固定手段（１６）は、少なくとも１つのカンティレバーアーム（４５）および少なくとも１つの突起（７０）を備えており、
上記カンティレバーアーム（４５）は、回転領域（５０）において上記オスプラグ（２０）の本体と一体に配置されており、上記電気ピン（３０）と同じ方向に上記オスプラグ（２０）の本体から突出しており、
上記突起（７０）は、上記メスプラグ（２５）の内壁と一体に作られており、かつ肩（７２）を備えており、
上記カンティレバーアーム（４５）は、上記メスプラグ（２５）の上記肩（７２）に接続するために形成されたフック（６０）を備えている、請求項６に記載のアッセンブリ（１５）。